(57)【特許請求の範囲】
【請求項１】
直接またはプレボーリング後貫入（Ａ）して地中に係止させる地盤アンカー１において、
先端部が尖ったロッド２と一つまたは複数の略長方形状の支圧体３からなり、支圧体３は、支圧板５、ヒンジ１４、接合金物４、回転止１３、逆回転止１５から構成され、ロッド２と一つまたは上下に並べた複数の支圧体３を接合金物４でヒンジ接合し、回転止１３は、支圧体３が開いた（Ｄ）時回転止１３がロッド２の側面に当接することによって支圧体３の回転を止め、逆回転止１５は、支圧体３が閉じた時逆回転止１５がロッド２の側面に当接することによって支圧体３の逆回転を止め、地盤アンカーを貫入（Ａ）し、ロッド芯１０を軸に回転（Ｂ）して貫入時にできた孔を避けて引き上げ（Ｃ）て支圧体にかかる回転モーメントによって支圧体を開く（Ｄ）ようにつくったことを特徴とする地盤アンカー１。
【請求項２】
前記ロッド２において、ロッド２の断面形状を略長方形とし、ヒンジ１４まわりにおいて、支圧体３とロッド２の接する面積を大きくすることによって、ロッド２を、ロッド芯１０を軸にして回転する時接合金物４及び支圧体３のヒンジ１４まわりの部分の変形を起こり難くすることを特徴とする請求項１記載の地盤アンカー。
【請求項３】
前記支圧体３において、平面視前記支圧体３の上部を左側（Ｊ）または右側（Ｋ）にひねり、または、平面視支圧体３の上部の左側（Ｌ）または右側の長さ（Ｍ）を右側（Ｍ）または左側（Ｌ）よりも長くし、または、平面視前記支圧体３の上部を左側（Ｊ）または右（Ｋ）側にひねりかつ平面視支圧体３の上部の左側（Ｌ）または右側（Ｍ）の長さを右側（Ｍ）または左側（Ｌ）よりも長くすることによって、貫入後ロッド２の芯１０を軸にして右側（Ｂ）または左側（Ｇ）に回転して支圧体３を開かせ、その後アースアンカー１を引き上げ（Ｃ）支圧体３が、支圧体に働く回転モーメント（Ｄ）によって開くようにつくったことを特徴とする請求項１または２記載の地盤アンカー。
【請求項４】
前記ロッド２において、ロッド２を円柱形とすることによって、ロッド２の強度を高め、ロッド２と支圧体３を平面視任意の角度で接合できるようにしたことを特徴とする請求項１または３記載の地盤アンカー。
【請求項５】
平面視ロッド２と複数の支圧体３の角度を変え、複数の支圧体の輪郭線が概略円形または概略正多角形になるように接合することによって、地盤アンカー１の引き抜き強度を高めることを特徴とする請求項４記載の地盤アンカー。
【請求項６】
前記ロッド２を有孔管２０とし、支圧体３を開いた後、管内にグラウトなどの固結材１６を圧入し、孔１７より固結材１６を出し、地盤アンカーと土の隙間を無くし、地盤アンカー周りを固結材１６で固め、地盤アンカーに圧力がかかっても地盤アンカーを下がらなくすることを特徴とする請求項１から５のいずれか１項に記載の地盤アンカー。 
【発明の詳細な説明】
【技術分野】
【０００１】
本発明は、地盤アンカーに関するものである。
【背景技術】
【０００２】
回転支圧体付きアースアンカーとその工法の技術を提案した。（特許文献１参照）
【先行技術文献】
【特許文献】
【０００３】
【特許文献１】特許第５１８６６９５号
【発明の概要】
【発明が解決しようとする課題】
【０００４】
前記特許文献１の技術は、先端部にある支圧体によって引抜耐力を得ていたので、先端部に応力が集中した。従って地盤アンカー（アースアンカー）に大きな引抜力がかかると、先端部周りの土または支圧体が破壊することになる。アンカーにかかる応力を先端部のみにではなく、他の部分へも分散することが望まれる。その課題を解決することが今回の発明の最も主要な特徴とする。本発明のアンカーを地盤に定着するためにグラウト（硬化材）を必要とせず、アンカー使用後支圧体を閉じてアンカーを引き抜き、再使用できることが、従来の技術と異なる大きな特徴である。
【課題を解決するための手段】
【０００５】
直接またはプレボーリング後貫入（Ａ）して地中に係止させる地盤アンカー１において、
先端部が尖ったロッド２と一つまたは複数の略長方形状の支圧体３からなり、支圧体３は、支圧板５、ヒンジ１４、接合金物４、回転止１３、逆回転止１５から構成され、ロッド２と一つまたは上下に並べた複数の支圧体３を接合金物４でヒンジ接合し、回転止１３は、支圧体３が開いた（Ｄ）時回転止１３がロッド２の側面に当接することによって支圧体３の回転を止め、逆回転止１５は、支圧体３が閉じた時逆回転止１５がロッド２の側面に当接することによって支圧体３の逆回転を止め、地盤アンカーを貫入（Ａ）し、ロッド芯１０を軸に回転（Ｂ）して貫入時にできた孔を避けて引き上げ（Ｃ）て支圧体にかかる回転モーメントによって支圧体を開く（Ｄ）ようにつくったことを特徴とする地盤アンカー１である。アンカー使用後引き抜く時は、アンカーを打ち（Ｅ）、回転モーメント（Ｆ）によって支圧体３を閉じ、貫入時と逆回りに回転し、貫入時にできた孔を通して引き抜く（Ｇ）。
【０００６】
前記ロッド２において、ロッド２の断面形状を略長方形とし、ヒンジ１４まわりにおいて、支圧体３とロッド２の接する面積を大きくすることによって、ロッド２を、ロッド芯１０を軸にして回転する時接合金物４及び支圧体３のヒンジ１４まわりの部分の変形を起こり難くすることを特徴とする。
【０００７】
前記支圧体３において、平面視前記支圧体３の上部を左側（Ｊ）または右側（Ｋ）にひねり、または、平面視支圧体３の上部の左側（Ｌ）または右側の長さ（Ｍ）を右側（Ｍ）または左側（Ｌ）よりも長くし、または、平面視前記支圧体３の上部を左側（Ｊ）または右（Ｋ）側にひねりかつ平面視支圧体３の上部の左側（Ｌ）または右側（Ｍ）の長さを右側（Ｍ）または左側（Ｌ）よりも長くすることによって、貫入後ロッド２の芯１０を軸にして右側（Ｂ）または左側（Ｇ）に回転して支圧体３を開かせ、その後アースアンカー１を引き上げ（Ｃ）支圧体３が、支圧体に働く回転モーメント（Ｄ）によって開くようにつくったことを特徴とする地盤アンカーである。
【０００８】
前記ロッド２において、ロッド２を円柱形とすることによって、ロッドの強度を高め、ロッド２と支圧体３を平面視任意の角度で接合できるようにしたことを特徴とする。
【０００９】
ロッド２を円柱形とし、平面視ロッド２と複数の支圧体３の角度を変え、複数の支圧体の輪郭線を概略円形または概略多角形となるように接合することによって、複数の支圧体３による地盤アンカー１の引き抜き強度を高めることを特徴とする。円形状の支圧体を有した地盤アンカーの引き抜き強度は、地盤アンカーの先端部を底点とする円錐形を想定し、この円錐形の表面と周りの土の摩擦力によって決まる。しかし、本発明の回転支圧体を円形にするのは難しく、略長方形になるので、前記円錐形はこの円錐形よりも小さな変形楕円錐形になると考えられる。先端部から数えて２番目の支圧体の平面視ロッドに対する向きを、先端部と同じくすると、２番目の支圧体が作り出す変形楕円錐形は、先端部の支圧体が作り出す楕円錐形のなかに包含されて効果的でない。２番目の支圧体の向きを９０度振ることによって、双方の変形楕円錐形の表面が周りの土に接する面積が大きくなり、摩擦力が増して効果的になる。
【００１０】
前記ロッドを有孔管とし、支圧体を開いた後、管内にグラウトなどの固結材を圧入し、孔より固結材を出し、地盤アンカーと土の隙間を無くし、地盤アンカー周りを固結材で固め、地盤アンカーに圧力がかかっても地盤アンカーを下がらなくすることを特徴とする。
【発明の効果】
【００１１】
複数の支圧体を上下に並べて、ロッドにとりつけることによって、アンカーにかかる応力を分散させることができる。それによって、アンカーにより大きな引抜力を期待することができる。また、特許第５１８６６９５号とは違って、ロッド（軸材）先端部を尖らすことによって、先端部の強度が増し貫入しやすくなる。
【図面の簡単な説明】
【００１２】
【図１】本発明の実施例で、（ａ）は正面図、（ｂ）は（ａ）の拡大平面図である。
【図２】本発明の実施例で、（ａ）は、図１の（ｂ）のＫ-Ｋ断面図、（ｂ）は（ａ）において、支圧体が開いたときの断面図である。（ｃ）は（ａ）の側面図である。
【図３】本発明の別な実施例で、（ａ）は正面図、（ｂ）は（ａ）の拡大平面図である。
【図４】本発明の別な実施例の断面図である。
【発明を実施するための形態】
【００１３】
図１、図２は本発明の地盤アンカーの実施例である。図１の（ａ）は正面図、（ｂ）は（ａ）の拡大平面図ある。支圧体３を閉じた状態を示し更に開いた状態（破線）も合わせて表現している。図２の（ａ）は、図１の（ｂ）のＫ-Ｋ断面図、（ｂ）は（ａ）において、支圧体が開いたときの断面図である。（ｃ）は（ａ）の側面図である。
直接またはプレボーリング後貫入（Ａ）して地中に係止させる地盤アンカー１において、
先端部が尖ったロッド２と一つまたは複数の略長方形状の支圧体３からなり、支圧体３は、支圧板５、ヒンジ１４、接合金物４、回転止１３、逆回転止１５から構成され、ロッド２と一つまたは上下に並べた複数の支圧体３を接合金物４でヒンジ接合し、回転止１３は、支圧体３が開いた（Ｄ）時回転止１３がロッド２の側面に当接することによって支圧体３の回転を止め、逆回転止１５は、支圧体３が閉じた時逆回転止１５がロッド２の側面に当接することによって支圧体３の逆回転を止め、地盤アンカーを貫入（Ａ）し、ロッド芯１０を軸に回転（Ｂ）して貫入時にできた孔を避けて引き上げ（Ｃ）て支圧体にかかる回転モーメントによって支圧体を開く（Ｄ）ようにつくったことを特徴とする地盤アンカー１である。アンカー使用後引き抜く時は、アンカーを打ち（Ｅ）、回転モーメント（Ｆ）によって支圧体３を閉じ、貫入時と逆回りに回転し、貫入時にできた孔を通して引き抜く（Ｇ）。
【００１４】
前記ロッド２において、ロッド２の断面形状を略長方形とし、ヒンジ１４まわりにおいて、支圧体３とロッド２の接する面積を大きくすることによって、ロッド２を、ロッド芯１０を軸にして回転する時接合金物４及び支圧体３のヒンジ１４まわりの部分の変形を起こり難くすることを特徴とする。
【００１５】
図３は別な実施例を示し、（ａ）は正面図、（ｂ）は（ａ）の平面図である。
前記支圧体３において、平面視前記支圧体３の上部を左側（Ｊ）または右側（Ｋ）にひねり、または、平面視支圧体３の上部の左側（Ｌ）または右側の長さ（Ｍ）を右側（Ｍ）または左側（Ｌ）よりも長くし、または、平面視前記支圧体３の上部を左側（Ｊ）または右（Ｋ）側にひねりかつ平面視支圧体３の上部の左側（Ｌ）または右側（Ｍ）の長さを右側（Ｍ）または左側（Ｌ）よりも長くすることによって、貫入後ロッド２の芯１０を軸にして右側（Ｂ）または左側（Ｇ）に回転して支圧体３を開かせ、その後アースアンカー１を引き上げ（Ｃ）支圧体３が、支圧体に働く回転モーメント（Ｄ）によって開くようにつくったことを特徴とする地盤アンカーである。
【００１６】
前記ロッド２において、ロッド２を円柱形とすることによって、ロッドの強度を高め、ロッド２と支圧体３を平面視任意の角度で接合できるようにしたことを特徴とする。
【００１７】
ロッド２を円柱形とし、平面視ロッド２と複数の支圧体３の角度を変え、複数の支圧体の輪郭線が概略円形または概略多角形となるように接合することによって、複数の支圧体３による地盤アンカー１の引き抜き強度を高めることを特徴とする。
【００１８】
図４は本発明の別な実施例に断面図である。前記ロッドを有孔管２０とし、支圧体を開いた後、管内にグラウトなどの固結材１６を圧入し、孔１７より固結材１６を出し、地盤アンカーと土の隙間を無くし、地盤アンカー周りを固結材で固め、地盤アンカーに圧力がかかっても地盤アンカーを下がらなくすることを特徴とする。
【符号の説明】
【００１９】
１      地盤アンカー  
２      ロッド    
３      支圧体
４      接合金物
５      支圧板
１０    ロッド芯
１３    回転止
１４    ヒンジ
１５    逆回転止
１６    固結材
１７    孔
２０    有孔管
【要約】
【課題】
回転支圧体付地盤アンカーにかかる応力を先端部のみにではなく、他の部分へ分散する。
【解決手段】
直接またはプレボーリング後貫入して地中に係止させる地盤アンカー１において、
先端部が尖ったロッド２と一つまたは複数の略長方形状の支圧体３からなり、支圧体３は、支圧板５、ヒンジ１４、接合金物４、回転止１３、逆回転止１５から構成され、ロッド２と一つまたは上下に並べた複数の支圧体３を接合金物４でヒンジ接合し、回転止１３は、支圧体３が開いた時回転止１３がロッド２の側面に当接することによって支圧体３の回転を止め、逆回転止１５は、支圧体３が閉じた時逆回転止１５がロッド２の側面に当接することによって支圧体３の逆回転を止め、地盤アンカーを貫入し、ロッド芯１０を軸に回転して貫入時にできた孔を避けて引き上げて支圧体にかかる回転モーメントによって支圧体を開くようにつくったことを特徴とする。
【選択図】図１【図１】
0005544487.tif 000002
【図２】
0005544487.tif 000003
【図３】
0005544487.tif 000004
【図４】
0005544487.tif 000005